(57)【要約】【課題】コーナー部分においても、外観を悪化させず、且つ直線部とコーナー部の接続部分に隙間が生じない天井パネルと壁パネルとの連結構造を提供する。【解決手段】壁側嵌合部を有する壁押さえ縁と、天井側嵌合部を有する天井廻し縁と、壁パネル上端のコーナー部に取り付けられるコーナーピースと、壁パネル正面と天井パネル側面との間に生じる隙間を塞ぐ弾性変形可能な壁押さえ縁側軟質部と、コーナーピースに、浴室壁面から浴室内側に向けて突出して設けられ、壁パネル正面と天井パネル側面との間に生じる隙間を塞ぐ弾性変形可能なコーナーピース側軟質部とを備え、壁押さえ縁側軟質部側端とコーナーピース側軟質部側端は互いに重なり合って、両者間に隙間が生じないように構成される。【選択図】  図３
2009062767.tif 000002
【特許請求の範囲】
【請求項１】
浴室の壁面を構成する壁パネルと、
該壁パネル上端の直線部に取り付けられるとともに、壁側嵌合部を有する壁押さえ縁と、
浴室の天井を形成し、下面は上記壁パネルの上端より下方に配置される天井パネルと、
該天井パネルに取付固定されるとともに、上記壁側嵌合部と嵌合可能な天井側嵌合部を有する天井廻し縁と、
上記壁パネル上端のコーナー部に、上記壁側嵌合部と干渉しないように取り付けられるコーナーピースと、
上記壁押さえ縁に、浴室壁面から浴室内側に向けて突出して設けられ、上記壁パネル正面と上記天井パネル側面との間に生じる隙間を塞ぐ弾性変形可能な壁押さえ縁側軟質部と、
上記コーナーピースに、浴室壁面から浴室内側に向けて突出して設けられ、上記壁パネル正面と上記天井パネル側面との間に生じる隙間を塞ぐ弾性変形可能なコーナーピース側軟質部と、を備える天井パネルと壁パネルとの連結構造であって、
上記壁押さえ縁側軟質部側端と上記コーナーピース側軟質部側端は互いに重なり合って、両者間に隙間が生じないように構成されることを特徴とする天井パネルと壁パネルとの連結構造。
【請求項２】
前記壁押さえ縁側軟質部側端及び前記コーナーピース側軟質部側端は、それぞれ上下２段に形成されることを特徴とする請求項１記載の天井パネルと壁パネルとの連結構造。
【請求項３】
前記コーナーピースは、その側面に、前記壁押さえ縁側面に当接し所定の位置へ案内するガイド部を備えることを特徴とする請求項１記載の天井パネルと壁パネルとの連結構造。
【発明の詳細な説明】
【技術分野】
【０００１】
本発明は、浴室ユニットの天井パネルと壁パネルとの連結構造に係り、特にコーナー部分の天井パネルと壁パネルとの連結構造に関する。
【背景技術】
【０００２】
浴室ユニットの天井パネルと壁パネルとの連結構造において、壁パネルに取り付けられて上方に向かって突出した嵌合片を有する壁押さえ縁と、天井パネルに取り付けられて上記嵌合片と嵌合可能な嵌合溝を有する天井廻し縁とを備え、壁押さえ縁の嵌合片を天井廻し縁の嵌合溝に嵌合させて、天井パネルと壁パネルとを連結する構造が知られている（例えば、特許文献１，２参照。）。
【０００３】
これらのうち、特許文献１に記載された例では、嵌合片は、壁押さえ縁を介することなく、壁パネル本体の上端縁に沿って設けられた補強フレームの上面に直接突設されている。他方、特許文献２には、壁パネルの上端に突設された嵌合片と、この嵌合片に嵌合する嵌合溝を有し天井パネルの側端部を嵌入把持するパネル接続材とを用いる例が示されている。この場合、壁押さえ縁の一部の機能及び天井廻し縁は、パネル接続材として一体化されている。
【０００４】
【特許文献１】特開平１１−３４３７５０号公報
【特許文献２】特開２００５−３０７６１８号公報
【発明の開示】
【発明が解決しようとする課題】
【０００５】
通常、天井パネルと壁パネルとを連結するにあたっては、その隙間から蒸気等の水分が浴室外の建築躯体側に逃げ出さないように、パッキン等でシールすることが必要となる。実際、上述した特許文献１及び２に示された例でも、壁面中間の直線部においては、天井パネルと壁パネルとの隙間は封止されている。
【０００６】
しかし、コーナー部分のシールについては、直線部の壁押さえ縁に設けられたパッキンを突き合わせるだけでは、どうしても隙間ができ易く、これに対応しようとすると、施工性が悪化する。
【０００７】
そのため、コーナー部では、コーキング（シリコン注入）処理することで対応していた。しかしながら、シリコンは、斑が出るおそれがある、切れるおそれがある、清掃性が悪い、汚れが付着し易い等の外観上の問題があるため、コーナー部もパッキンでシーリングすることが望まれている。なお、上述した特許文献１及び２に示された例では、コーナー部の隙間塞ぎについては開示されていない。
【０００８】
本発明は、上述した事情を考慮してなされたもので、コーナー部分においても、外観を悪化させず、且つ直線部とコーナー部の接続部分に隙間が生じない天井パネルと壁パネルとの連結構造を提供することを目的とするものである。
【課題を解決するための手段】
【０００９】
本発明に係る天井パネルと壁パネルとの連結構造は、上述した課題を解決するために、請求項１に記載したように、浴室の壁面を構成する壁パネルと、該壁パネル上端の直線部に取り付けられるとともに、壁側嵌合部を有する壁押さえ縁と、浴室の天井を形成し、下面は上記壁パネルの上端より下方に配置される天井パネルと、該天井パネルに取付固定されるとともに、上記壁側嵌合部と嵌合可能な天井側嵌合部を有する天井廻し縁と、上記壁パネル上端のコーナー部に、上記壁側嵌合部と干渉しないように取り付けられるコーナーピースと、上記壁押さえ縁に、浴室壁面から浴室内側に向けて突出して設けられ、上記壁パネル正面と上記天井パネル側面との間に生じる隙間を塞ぐ弾性変形可能な壁押さえ縁側軟質部と、上記コーナーピースに、浴室壁面から浴室内側に向けて突出して設けられ、上記壁パネル正面と上記天井パネル側面との間に生じる隙間を塞ぐ弾性変形可能なコーナーピース側軟質部と、を備える天井パネルと壁パネルとの連結構造であって、上記壁押さえ縁側軟質部側端と上記コーナーピース側軟質部側端は互いに重なり合って、両者間に隙間が生じないように構成されるものである。
【００１０】
前記壁押さえ縁側軟質部側端及び前記コーナーピース側軟質部側端は、好適には、請求項２に記載したように、それぞれ上下２段に形成されることが望ましい。
【００１１】
また、前記コーナーピースは、好適には、請求項３に記載したように、その側面に、前記壁押さえ縁側面に当接し所定の位置へ案内するガイド部を備えることもできる。
【発明の効果】
【００１２】
本発明に係る天井パネルと壁パネルとの連結構造によれば、コーナー部分においても、外観を悪化させず、且つ直線部とコーナー部の接続部分に隙間が生じない天井パネルと壁パネルとの連結構造を得ることができる。
【発明を実施するための最良の形態】
【００１３】
本発明に係る浴室ユニットの一実施形態について、添付図面を参照して説明する。図１は、本実施形態に係る壁パネルと天井パネルとの連結構造が採用される壁パネルと天井パネルとの連結構造の、壁面直線部を示す図である。
【００１４】
本実施形態に係る浴室ユニットでは、図示しない防水パン上に支柱１が複数立設され、支柱１の頂部近傍は繋ぎ材２によって相互に接続されている。
【００１５】
隣接する支柱１間に架設される壁パネル３は、表面材としての化粧鋼板３１と、芯材としての石膏ボード３２と、裏打ち材としての鋼板３３との３層より構成される。化粧鋼板３１は、壁パネル３の頂部において、石膏ボード３２側へと折曲されている。
【００１６】
壁パネル上端には、硬質の壁押さえ縁４が、その取付部４ａが化粧鋼板３１及び石膏ボード３２を挟み込むように取り付けられ、ねじ５によって壁パネル３にねじ止めされる。
【００１７】
壁押さえ縁４は、取付部４ａ上に、上方に向かって略Ｕ字状に突出する嵌合片４ｂを備える。そのＵ字のそれぞれの先端には、軟質部４ｃが取着される。この嵌合片４ｂは、本発明に係る壁側嵌合部を構成する。
【００１８】
他方、取付部４ａの浴室内側の側面から、浴室内方に向けて、弾性変形可能な上段軟質部４ｄ及び下段軟質部４ｅの２段の軟質部が突設されている。
【００１９】
この壁押さえ縁上に、後述する天井廻し縁７を介して取り付けられる天井パネル６は、表面材としての化粧鋼板６１と、裏打ち材としての石膏ボード６２との２層より構成される。
【００２０】
化粧鋼板６１は、天井パネル６側端において、石膏ボード６２側へ折曲されて折曲部６１ａを形成し、この折曲部６１ａの先端は、天井パネル６の外方側へさらに折曲されて延出部６１ｂを形成する。
【００２１】
折曲部６１ａは、天井パネル６が所定の位置に配置された際に、ねじ５や壁押さえ縁４を隠すために、天井パネル６の表面が壁押さえ縁４下端より十分下方に来るように、一定以上の長さを有している。
【００２２】
また、延出部６１ｂは、図１に示すように、天井パネル６が所定の位置に配置された際に、その先端が壁押さえ縁４上に載置されるように、壁パネル３の表面と天井パネルの折曲部６１ａとの間に生じる隙間Ｓの幅以上の長さを有している。
【００２３】
天井廻し縁７は、天井パネル６の石膏ボード６２裏面に接着される取付部７ａから、天井パネル外方へ延出する延出部７ｂを備える。延出部７ｂの先端近傍には、下方に向かって開ロした嵌合溝７ｃが設けられる。この嵌合溝７ｃは、本発明に係る天井側嵌合部を構成する。
【００２４】
また、延出部７ｂの一部は、取付部７ａ側へ天井パネル６の延出部６１ｂを巻き込むように折り返され、表面材支持部７ｄが形成される。この表面材支持部７ｄは、壁押さえ縁４の取付部４ａ上に載置される。これにより、天井パネル６の延出部６１ｂが表面材支持部７ｄ上に載置され、表面材支持部７ｄが天井パネル６の荷重の一部を分担するので、天井廻し縁７が、取付部７ａのみによって天井パネル６に取り付けられる場合に比べて、天井廻し縁７をより確実に天井パネル６に取り付けることができる。
【００２５】
このように、壁パネル３には壁押さえ縁４が、天井パネル６には天井廻し縁７が、それぞれ予め取り付けられている。そして、天井パネル６の所定の位置への取り付けは、天井廻し縁７の嵌合溝７ｃを壁押さえ縁４の嵌合片４ｂ上に持ってきて、嵌合片４ｂを嵌合溝７ｃに嵌入させることによって行う。
【００２６】
天井パネル６が、こうして所定の位置に取り付けられると、壁押さえ縁４の下段軟質部４ｅは、天井パネル６の化粧鋼板６１の折曲部６１ａに押圧されて変形し、折曲部６１ａに当接する。これにより、壁押さえ縁４やねじ５が、浴室内から見えないように掩蔽されるとともに、隙間Ｓから蒸気等の水分が浴室外の建築躯体側に逃げ出すことが防止される。
【００２７】
下段軟質部４ｅと同様に、上段軟質部４ｄも天井パネル６の化粧鋼板６１の折曲部６１ａに押圧されて変形し、折曲部６１ａに当接する。このように二重に遮蔽することにより、隙間Ｓから蒸気等の水分が浴室外の建築躯体側に逃げ出すことがより確実に防止される。
【００２８】
なお、嵌合片には凸部４ｆが、嵌合溝には凸部７ｅが設けられ、嵌合片４ｂが嵌合溝７ｃに嵌入後は、凸部４ｆの側面と凸部７ｅの側面とが衝合して容易には抜け落ちないようになっている。
【００２９】
図２は、上述した浴室ユニットの壁パネルと天井パネルとの連結構造のコーナー部における壁パネル側を示す分解斜視図であり、図３は、同壁パネル側組立後の斜視図である。
【００３０】
壁パネル３が直交して立設される浴室コーナー部の２枚の壁パネル３上には、直交する２本の壁押さえ縁４を連接するコーナーピース８が取着される。
【００３１】
コーナーピース８は、中央の本体８ａと、左右の壁押さえ縁側に解放した取付部８ｂとを備える。本体８ａの上面は、一段高く形成され、天井パネル６取付後、天井廻し縁７の延出部ｂ上面と高さが揃うようになっている。また、本体８ａの前面は、図示しないコーナー支柱のコーナー押さえ縁１０と干渉しないように、コーナー部が浴室側へ膨出して形成される。
【００３２】
取付部８ｂは、壁押さえ縁４の取付部４ａと同様の縦断面を有し、化粧鋼板３１及び石膏ボード３２を挟み込むように取り付けられ、ねじ９によって壁パネル３にねじ止めされる。
【００３３】
左右の取付部８ｂからは、それぞれ壁押さえ縁４側に向かい、上面においては上面延出部８ｃが、前面においては前面延出部８ｄが延設される。この上面延出部８ｃは、その根本においてその厚み分浴室側へ膨出するように折曲され、これにより壁押さえ縁４の取付部４ａの上面と干渉することが回避されている。また、嵌合片４ｂとの干渉も回避される形状となっている。
【００３４】
前面延出部８ｄ同様に、その根本においてその厚み分浴室側へ膨出するように折曲され、これにより壁押さえ縁４の取付部４ａの前面と干渉することが回避されている。また、前面延出部８ｄは、その取付時において、壁押さえ縁４の上段軟質部４ｄと下段軟質部４ｅとの間に挿入可能な高さを有している。
【００３５】
さらに、この前面延出部８ｄ前面下端近傍から本体８ａ前面に亘って、軟質部８ｅが取着される。軟質部８ｅは、壁押さえ縁４の下段軟質部４ｅと略同じ幅（浴室側へ突出する長さ）を有し、コーナーピース８及び壁押さえ縁４が取り付けられると、両者は重なって、壁押さえ縁４前面とコーナーピース８前面との間に隙間が生じることはない。これにより、壁押さえ縁４前面とコーナーピース８前面との間から蒸気等の水分が浴室外の建築躯体側に逃げ出すことが防止される。
【００３６】
また、コーナーピース８と壁押さえ縁４との接続部にシリコンを用いないので、斑が出るおそれがある、切れるおそれがある、清掃性が悪い、汚れが付着し易い等の外観上の問題もなく、すっきりと納めることができる。
【００３７】
本実施の形態に係る天井パネルと壁パネルとの連結構造は上記のように構成されており、以下その取付手順について説明する。
壁パネル３が立設されると、まずコーナーピース８が、その取付部８ｂが化粧鋼板３１及び石膏ボード３２を挟み込むように取り付けられ、ねじ９によって壁パネル３にねじ止めされる。取付部８ｂは、直交する壁パネル３の両面に取り付けられるので、その取付位置は自ずと定まり、位置決めの必要はない。
【００３８】
続く壁押さえ縁の取付には、まず一方の端部の取付部４ａを、化粧鋼板３１及び石膏ボード３２を挟み込むとともに、取付部４ａの上面がコーナーピース８の上面延出部８ｃ下に潜り込ませ、且つ、取付部４ａの前面がコーナーピース８の前面延出部８ｄ下に潜り込ませて、上面延出部８ｃ及び前面延出部８ｄの根本まで差し込む。これにより、特段の位置決め作業を行うことなく、壁押さえ縁４の位置も定まる。
【００３９】
次に、棒状の壁押さえ縁４を屈曲させ、他端も上述した要領と同様に、化粧鋼板３１及び石膏ボード３２を挟み込むとともに、取付部４ａの上面がコーナーピース８の上面延出部８ｃ下に潜り込ませ、且つ、取付部４ａの前面がコーナーピース８の前面延出部８ｄ下に潜り込ませて、上面延出部８ｃ及び前面延出部８ｄの根本まで差し込む。
【００４０】
このように、壁パネル３には壁押さえ縁４が予め取り付けられる。同様に、天井パネル６には天井廻し縁７が予め取り付けられる。以降、上述したように、天井廻し縁７の嵌合溝７ｃを壁押さえ縁４の嵌合片４ｂ上に持ってきて、嵌合片４ｂを嵌合溝７ｃに嵌入させることによって天井パネル６を所定の位置へ取り付ける。
【００４１】
次に、本実施形態に係るコーナーピース８の変形例について、図４を参照して説明する。本変形例のコーナーピース８Ａは、同図に示すように、上段軟質部８ｆ及びリブ８ｇを有する点で、実施形態におけるものと基本的に相違し、他の構成は実施形態と実質的に同じであり、同じ符号を付して説明を省略する。
【００４２】
上段軟質部８ｆは、軟質部８ｅが壁押さえ縁４の下段軟質部４ｅと重なり合うのと同様に、壁押さえ縁４の上段軟質部４ｄと重なり合う位置に設けられる。これにより、壁押さえ縁４前面とコーナーピース８Ａ前面との間から蒸気等の水分が浴室外の建築躯体側に逃げ出すことが、より確実に防止される。
【００４３】
他方、リブ８ｇは、本体８ａと同質の硬質部材で形成され、取付部８ｂ上に突設される。このリブ８ｇは、壁押さえ縁４の端部を、化粧鋼板３１及び石膏ボード３２を挟み込むとともに、取付部４ａの上面がコーナーピース８Ａの上面延出部８ｃ下に潜り込ませ、且つ、取付部４ａの前面がコーナーピース８の前面延出部８ｄ下に潜り込ませるときにガイド部の役割を果たすものとして有用である。
【００４４】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００４５】
【図１】本発明に係る浴室ユニットの壁パネルと天井パネルとの連結構造が採用される壁パネルと天井パネルとの連結構造の直線部を示す図。
【図２】本発明に係る浴室ユニットの壁パネルと天井パネルとの連結構造の一実施形態における壁パネル側の分解斜視図。
【図３】本発明に係る浴室ユニットの壁パネルと天井パネルとの連結構造の一実施形態における壁パネル側組立後の斜視図。
【図４】本発明に係る浴室ユニットの壁パネルと天井パネルとの連結構造の一実施形態におけるコーナーピースの変形例を示す図。
【符号の説明】
【００４６】
１  支柱
２  繋ぎ材
３  壁パネル
３１  化粧鋼板
３２  石膏ボード
３３  鋼板
４  壁押さえ縁
４ａ  取付部
４ｂ  嵌合片
４ｃ  軟質部
４ｄ  上段軟質部
４ｅ  下段軟質部
４ｆ  凸部
５，９  ねじ
６  天井パネル
６１  化粧鋼板
６１ａ  折曲部
６１ｂ  延出部
６２  石膏ボード
７  天井廻し縁
７ａ  取付部
７ｂ  延出部
７ｃ  嵌合溝
７ｄ  表面材支持部
７ｅ  凸部
８，８Ａ  コーナーピース
８ａ  本体
８ｂ  取付部
８ｃ  上面延出部
８ｄ  前面延出部
８ｅ  軟質部
８ｆ  上段軟質部
８ｇ  リブ
１０  コーナー押さえ縁
Ｓ  隙間
【図１】
2009062767.tif 000003
【図２】
2009062767.tif 000004
【図３】
2009062767.tif 000005
【図４】
2009062767.tif 000006